(57)【特許請求の範囲】
【請求項１】
複数のパイロットを送信する方法であって、
Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するステップを含み、
ＯＦＤＭシンボルｎ上のサブキャリアｋにおいてパイロット
【数１】
0005784240.tif 000056
は、下記のように決定され、
【数２】
0005784240.tif 000057
ＯＦＤＭシンボルインデックスｎは、０，…，Ｎ−１であり、パイロット値
【数３】
0005784240.tif 000058
方法。
【請求項２】
前記送信される複数のパイロットの帯域幅は、１ＭＨｚであることを特徴とする請求項１に記載の方法。
【請求項３】
前記ｋは、
【数４】
0005784240.tif 000059
の範囲の一つの整数で、前記Ｋは、
【数５】
0005784240.tif 000060
の範囲の一つの整数であることを特徴とする請求項１に記載の方法。
【請求項４】
送信帯域幅を選択するステップと、
前記送信帯域幅の範囲に応じてパイロット値マッピングテーブル内の事前に定義された複数のパイロット値を決定するステップと、
前記事前に定義された複数のパイロット値をＮ  ＯＦＤＭシンボルに挿入するステップとをさらに含み、
前記送信帯域幅の前記範囲が１ＭＨｚの場合、前記パイロット値マッピングテーブルにおいて前記事前に定義された複数のパイロット値は
【数６】
0005784240.tif 000061
であり、
前記パイロット値マッピングテーブルは、下記のとおりであることを特徴とする請求項１に記載の方法。
【表１】
0005784240.tif 000062
【請求項５】
前記複数のパイロットは、シュード二進シーケンス（ｐｓｅｕｄｏ−ｂｉｎａｒｙ  ｓｅｑｕｅｎｃｅ）によりＢＰＳＫ（ｂｉｎａｒｙ  ｐｈａｓｅ  ｓｈｉｆｔ  ｋｅｙｉｎｇ）変調されることを特徴とする請求項１に記載の方法。
【請求項６】
前記Ｎ個のＯＦＤＭシンボル上に前記複数のパイロットを送信するステップは、
第１空間ストリームに対して第１複数のパイロットを送信するステップと、
前記第１複数のパイロットのマッピングを第２空間ストリームの第２複数のパイロットのマッピングに複写するステップと、
前記第２空間ストリームの前記第２複数のパイロットを送信するステップとを含むことを特徴とする請求項１に記載の方法。
【請求項７】
無線通信システムにおいて制御信号を送信するように具現された無線端末は、
Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するように具現されたプロセッサを含み、
ＯＦＤＭシンボルｎ上のサブキャリアｋにおいてパイロット
【数７】
0005784240.tif 000063
は、下記のとおりに決定され、
【数８】
0005784240.tif 000064
ＯＦＤＭシンボルインデックスｎは、０，…，Ｎ−１で、パイロット値
【数９】
0005784240.tif 000065
無線装置。
【請求項８】
前記送信される複数のパイロットの帯域幅は、１ＭＨｚであることを特徴とする請求項７に記載の無線装置。
【請求項９】
前記ｋは、
【数１０】
0005784240.tif 000066
の範囲の一つの整数で、前記Ｋは、
【数１１】
0005784240.tif 000067
の範囲の一つの整数であることを特徴とする請求項７に記載の無線装置。
【請求項１０】
前記プロセッサは、前記Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するために、送信帯域幅を選択し、前記送信帯域幅の範囲に応じてパイロット値マッピングテーブル内の事前に定義された複数のパイロット値を決定し、前記事前に定義された複数のパイロット値を前記Ｎ個のＯＦＤＭシンボルに挿入するように具現され、
前記送信帯域幅の前記範囲が１ＭＨｚの場合、前記パイロット値マッピングテーブルにおいて前記事前に定義された複数のパイロット値は、
【数１２】
0005784240.tif 000068
であり、
前記パイロット値マッピングテーブルは、下記のとおりであることを特徴とする請求項７に記載の無線装置。
【表２】
0005784240.tif 000069
【請求項１１】
前記複数のパイロットは、シュード二進シーケンスによりＢＰＳＫ変調されることを特徴とする請求項７に記載の無線装置。
【請求項１２】
前記プロセッサは、前記Ｎ個のＯＦＤＭシンボル上に前記複数のパイロットを送信するために、第１空間ストリームに対して第１複数のパイロットを送信し、前記第１複数のパイロットのマッピングを第２空間ストリームの第２複数のパイロットのマッピングに複写し、前記第２空間ストリームの前記第２複数のパイロットを送信するように具現されることを特徴とする請求項７に記載の無線装置。
【発明の詳細な説明】
【技術分野】
【０００１】
本発明は、無線通信に関し、さらに詳細には、パイロットシーケンスを生成する方法及び装置に関する。
【背景技術】
【０００２】
Ｍａｃｈｉｎｅ−ｔｏ−Ｍａｃｈｉｎｅ（Ｍ２Ｍ）システムは、最近、次世代通信技術として注目されている技術である。ＩＥＥＥ  ８０２．１１  ＷＬＡＮ（ｗｉｒｅｌｅｓｓ  ｌｏｃａｌ  ａｒｅａ  ｎｅｔｗｏｒｋ）でもＭ２Ｍシステムを支援するために、新しい標準であるＩＥＥＥ  ８０２．１１ａｈを制定しつつある。Ｍ２Ｍシステムにおいて使用するネットワークは、人でない機械（ｍａｃｈｉｎｅ）が通信の主体となって、情報をやり取りするネットワークになることができる。温度センサまたは湿度センサのようなセンサからカメラ、ＴＶなどの家電製品、工場の工程機械、自動車のような大型機械までＭ２Ｍシステムの一要素になることができる。
【０００３】
最近、スマートグリッド（ｓｍａｒｔ  ｇｒｉｄ）、ｅ−ヘルス（ｅＨｅａｌｔｈ）、ユビキタス（ｕｂｉｑｕｉｔｏｕｓ）のような多様な通信サービスが登場するに伴って、これを支援するためにＭ２Ｍ技術が脚光を浴びている。Ｍ２Ｍシステムの特性は、下記のとおりである。
【０００４】
１）多いステーション（ｓｔａｔｉｏｎ）の数：Ｍ２Ｍシステムにおいて使用するネットワークは、従来のネットワークとは異なり、多くの数のステーションがネットワーク内に存在すると仮定する。Ｍ２Ｍシステムでは、端末に個人が所有した機械だけでなく、家、会社などに設けられたセンサなどをすべて考慮しなければならないためである。したがって、一つのＡＰ（ａｃｃｅｓｓ  ｐｏｉｎｔ）にかなり多い数のステーションが接続されることができる。
【０００５】
２）各ステーション当たりの低いトラフィック負荷（ｔｒａｆｆｉｃ  ｌｏａｄ）：一般にＭ２Ｍ端末は、周辺の情報を収集して報告するトラフィックパターン（ｔｒａｆｆｉｃ  ｐａｔｔｅｒｎ）を有するから、データを頻繁に送信する必要がなく、送信するデータの量も少ない方である。
【０００６】
３）アップリンク（Ｕｐｌｉｎｋ）中心：Ｍ２Ｍネットワークは、主にダウンリンク（ｄｏｗｎｌｉｎｋ）に命令を受信して行動を取った後、結果データをアップリンクに報告する構造を有している。主要データは、通常アップリンクに送信されるので、Ｍ２Ｍネットワークでは、アップリンクが中心になる。
【０００７】
４）ステーションの長い寿命：Ｍ２Ｍ端末は、主にバッテリーにて動作し、ユーザが頻繁に充電し難いケースが多い。したがって、Ｍ２Ｍ端末では、バッテリー消耗を最小化して、長い寿命を保障することが求められている。
【０００８】
５）自動復元機能：Ｍ２Ｍ端末は、特定状況で人が直接操作し難いので、自ら端末を復元する機能が必要となる。
【０００９】
ＩＥＥＥ  ８０２．１１ａｈの著しい特徴は、ＴＶ白色領域帯域（ＴＶ  ｗｈｉｔｅ  ｓｐａｃｅ  ｂａｎｄ）を除いたサブ（ｓｕｂ）１ＧＨｚの非免許帯域を周波数帯域として使用することができる。サブ１ＧＨｚ帯域を使用する場合、ネットワークのカバレッジ（ｃｏｖｅｒａｇｅ）は、従来の室内（ｉｎｄｏｏｒ）中心のＷＬＡＮに比べて、著しく広いカバレッジ（ｕｐ  ｔｏ  １ｋｍ）を有することができる。すなわち、従来のＷＬＡＮ周波数帯域である２．４ＧＨｚや５ＧＨｚとは異なり、７００〜９００ＭＨｚに代表されるサブ１ＧＨｚの周波数帯域においてＷＬＡＮが使用される場合、相当帯域の電波特性によって、同一送信電力に対してＡＰのカバレッジがほぼ２〜３倍程拡張される。このような特性により、８０２．１１ａｈ標準では、一つのＡＰ当たりの極めて多くの数のＳＴＡが接続できることを仮定する。
【００１０】
ＩＥＥＥ  ８０２．１１ａｈ標準において考慮している使用例（ｕｓｅ  ｃａｓｅ）は、以下のようなケースがありうる。
【００１１】
使用例１（Ｕｓｅ  Ｃａｓｅ１）：センサ及び計測器（Ｓｅｎｓｏｒｓ  ａｎｄ  ｍｅｔｅｒｓ）
１ａ：スマートグリッド（Ｓｍａｒｔ  Ｇｒｉｄ）−ポーリングのための計測（Ｍｅｔｅｒ  ｔｏ  Ｐｏｌｅ）
１ｃ：環境／農業と関連したモニターリング（Ｅｎｖｉｒｏｎｍｅｎｔａｌ／Ａｇｒｉｃｕｌｔｕｒａｌ  Ｍｏｎｉｔｏｒｉｎｇ）
１ｄ：産業プロセスセンサ（Ｉｎｄｕｓｔｒｉａｌ  ｐｒｏｃｅｓｓ  ｓｅｎｓｏｒｓ）
１ｅ：ヘルスケア（Ｈｅａｌｔｈｃａｒｅ）
１ｆ：ヘルスケア（Ｈｅａｌｔｈｃａｒｅ）
１ｇ：家庭／ビル自動化（Ｈｏｍｅ／Ｂｕｉｌｄｉｎｇ  Ａｕｔｏｍａｔｉｏｎ）
１ｈ：家庭用センサ（Ｈｏｍｅｓｅｎｓｏｒｓ）
使用例２：バックホールセンサ及びデータ計測器（Ｂａｃｋｈａｕｌ  Ｓｅｎｓｏｒ  ａｎｄ  ｍｅｔｅｒ  ｄａｔａ）
センサのバックホール集積（Ｂａｃｋｈａｕｌ  ａｇｇｒｅｇａｔｉｏｎ  ｏｆ  ｓｅｎｓｏｒｓ）
産業用センサのバックホール集積（Ｂａｃｋｈａｕｌ  ａｇｇｒｅｇａｔｉｏｎ  ｏｆ  ｉｎｄｕｓｔｒｉａｌ  ｓｅｎｓｏｒｓ）
使用例３：拡張された範囲のＷｉ−Ｆｉ（Ｅｘｔｅｎｄｅｄ  ｒａｎｇｅ  Ｗｉ−Ｆｉ）
室外拡張された範囲のホットスポット（Ｏｕｔｄｏｏｒ  ｅｘｔｅｎｄｅｄ  ｒａｎｇｅ  ｈｏｔｓｐｏｔ）
セルラトラフィックオフロードのための室外ＷｉＦｉ（Ｏｕｔｄｏｏｒ  Ｗｉ−Ｆｉ  ｆｏｒ  ｃｅｌｌｕｌａｒ  ｔｒａｆｆｉｃ  ｏｆｆｌｏａｄｉｎｇ）
使用例１のセンサ及び計測器の場合が前で言及したＭ２Ｍ通信に関する使用例であって、多様な種類のセンサ装置が８０２．１１ａｈを使用するＡＰに接続されて、Ｍ２Ｍ通信を行うことができる。特に、スマートグリッドの場合、最大６，０００個のセンサ装置が一つのＡＰに接続されることができる。
【００１２】
使用例２のバックホールセンサ及び計測器データの場合は、広いカバレッジを提供する８０２．１１ａｈ  ＡＰが８０２．１５．４ｇのような他のシステムのバックホールリンク（ｂａｃｋｈａｕｌ  ｌｉｎｋ）の役割を果たす場合である。
【００１３】
使用例３は、拡張家庭カバレッジ（Ｅｘｔｅｎｄｅｄ  ｈｏｍｅ  ｃｏｖｅｒａｇｅ）、キャンパスのような広いカバレッジ（Ｃａｍｐｕｓ  ｗｉｄｅ  ｃｏｖｅｒａｇｅ）、ショッピングセンタ（Ｓｈｏｐｐｉｎｇ  ｍａｌｌｓ）のような室外拡張範囲ホットスポット（ｏｕｔｄｏｏｒ  ｅｘｔｅｎｄｅｄ  ｒａｎｇｅ  ｈｏｔｓｐｏｔ）通信を目標とする場合と、８０２．１１ａｈ  ＡＰがセルラモバイル（ｃｅｌｌｕｌａｒ  ｍｏｂｉｌｅ）通信のトラフィックオフロード（ｔｒａｆｆｉｃ  ｏｆｆｌｏａｄｉｎｇ）を支援することによって、高−負荷セルラトラフィック（ｈｅａｖｙ−ｌｏａｄｅｄ  ｃｅｌｌｕｌａｒ  ｔｒａｆｆｉｃ）を分散させようとする場合を目標とする使用例である。
【００１４】
８０２．１１ａｈ標準の周波数帯域であるサブ１ＧＨｚ帯域での２／４／８／１６／８＋８ＭＨｚチャネル帯域に使用することができるフレーム構造を使用しなければならない。このような周波数帯域で使用されうるフレーム構造は、簡単に従来のＩＥＥＥ  ８０２．１１ａｃ標準で使用していたＰＰＤＵフレームに対して１／１０ダウン−クロッキング（ｄｏｗｎ−ｃｌｏｃｋｉｎｇ）を行った構造を使用することができる。すなわち、８０２．１１ａｃにおいて２０／４０／８０／１６０／８０＋８０ＭＨｚチャネル帯域幅において使用されていたフレームフォーマットに対して１／１０ダウン−クロッキングを行って、サブ１ＧＨｚ帯域で２／４／８／１６／８＋８ＭＨｚチャネル帯域幅で使用されるフレームフォーマットを生成できる。
【発明の概要】
【課題を解決するための手段】
【００１５】
本発明の目的は、サブ１ＧＨｚ帯域において使用されうるフレーム生成方法を提供することにある。
【００１６】
本発明のさらに他の目的は、サブ１ＧＨｚ帯域において使用されうるフレーム生成方法を行う装置を提供することにある。
【００１７】
上述した本発明の目的を達成するための本発明の一側面による複数のパイロットを送信する方法は、Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するステップを含むものの、ＯＦＤＭシンボルｎ上のサブキャリアｋにおいてパイロット
【００１８】
【化１】
0005784240.tif 000002
【００１９】
は、下記のように決定され、
【００２０】
【化２】
0005784240.tif 000003
【００２１】
ＯＦＤＭシンボルインデックスｎは、０，…，Ｎ−１であり、パイロット値
【００２２】
【化３】
0005784240.tif 000004
【００２３】
ありうる。前記送信される複数のパイロットの帯域幅は、１ＭＨｚでありうる。前記ｋは、
【００２４】
【化４】
0005784240.tif 000005
【００２５】
の範囲の一つの整数で、前記Ｋは、
【００２６】
【化５】
0005784240.tif 000006
【００２７】
の範囲の一つの整数でありうる。
複数のパイロットを送信する方法は、送信帯域幅を選択するステップと、前記送信帯域幅の範囲に応じてパイロット値マッピングテーブル内の事前に定義された複数のパイロット値を決定するステップと、前記事前に定義された複数のパイロット値をＮ  ＯＦＤＭシンボルに挿入するステップとをさらに含むものの、前記送信帯域幅の前記範囲が１ＭＨｚの場合、前記パイロット値マッピングテーブルにおいて前記事前に定義された複数のパイロット値は
【００２８】
【化６】
0005784240.tif 000007
【００２９】
であり、前記パイロット値マッピングテーブルは、下記のとおりでありうる。
【００３０】
【化７】
0005784240.tif 000008
【００３１】
前記複数のパイロットは、シュード二進シーケンス（ｐｓｅｕｄｏ−ｂｉｎａｒｙ  ｓｅｑｕｅｎｃｅ）によりＢＰＳＫ（ｂｉｎａｒｙ  ｐｈａｓｅ  ｓｈｉｆｔ  ｋｅｙｉｎｇ）変調されることができる。前記Ｎ個のＯＦＤＭシンボル上に前記複数のパイロットを送信するステップは、第１空間ストリームに対して第１複数のパイロットを送信するステップと、前記第１複数のパイロットのマッピングを第２空間ストリームの第２複数のパイロットのマッピングに複写するステップと、前記第２空間ストリームの前記第２複数のパイロットを送信するステップとを含むことができる。
【００３２】
上述した本発明の目的を達成するための本発明の一側面による無線通信システムにおいて制御信号を送信するように具現された無線端末は、Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するように具現されたプロセッサを含むものの、ＯＦＤＭシンボルｎ上のサブキャリアｋにおいてパイロット
【００３３】
【化８】
0005784240.tif 000009
【００３４】
は、下記のとおりに決定され、
【００３５】
【化９】
0005784240.tif 000010
【００３６】
ＯＦＤＭシンボルインデックスｎは、０，…，Ｎ−１で、パイロット値
【００３７】
【化１０】
0005784240.tif 000011
【００３８】
ありうる。前記送信される複数のパイロットの帯域幅は、１ＭＨｚでありうる。前記ｋは、
【００３９】
【化１１】
0005784240.tif 000012
【００４０】
の範囲の一つの整数で、前記Ｋは、
【００４１】
【化１２】
0005784240.tif 000013
【００４２】
の範囲の一つの整数でありうる。前記プロセッサは、前記Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するために、送信帯域幅を選択し、前記送信帯域幅の範囲に応じてパイロット値マッピングテーブル内の事前に定義された複数のパイロット値を決定し、前記事前に定義された複数のパイロット値を前記Ｎ個のＯＦＤＭシンボルに挿入するように具現されるものの、前記送信帯域幅の前記範囲が１ＭＨｚの場合、前記パイロット値マッピングテーブルにおいて前記事前に定義された複数のパイロット値は、
【００４３】
【化１３】
0005784240.tif 000014
【００４４】
であり、前記パイロット値マッピングテーブルは、下記のとおりでありうる。
【００４５】
【化１４】
0005784240.tif 000015
【００４６】
前記複数のパイロットは、シュード二進シーケンスによりＢＰＳＫ変調されることができる。前記プロセッサは、前記Ｎ個のＯＦＤＭシンボル上に前記複数のパイロットを送信するために、第１空間ストリームに対して第１複数のパイロットを送信し、前記第１複数のパイロットのマッピングを第２空間ストリームの第２複数のパイロットのマッピングに複写し、前記第２空間ストリームの前記第２複数のパイロットを送信するように具現されることができる。
【発明の効果】
【００４７】
以上、本発明の実施の形態に係るパイロットシーケンスを生成する方法及び装置によれば、パイロットシーケンスを生成するにおいて各周波数帯域に使用されるパイロットシーケンスを類推できるようにネスティド（ｎｅｓｔｅｄ）構造を有したパイロットシーケンスを生成することによって、パイロットシーケンス（ｐｉｌｏｔ  ｓｅｑｕｅｎｃｅ）を生成するにおいて必要なメモリを減少させることができる。また、各パイロットトーンの値が時変（ｔｉｍｅ  ｖａｒｉｎｇ）の特性を有することによって、スペクトルライン（ｓｐｅｃｔｒａｌ  ｌｉｎｅ）が生じるのを防止できる。
【図面の簡単な説明】
【００４８】
【図１】図１は、ＰＰＤＵフレームフォーマットを示す概念図である。
【図２】図２は、ＯＦＤＭモジュレーション方法を示す概念図である。
【図３】図３は、ＰＰＤＵフレームを時間軸及び周波数軸にて示した概念図である。
【図４】図４は、１／１０ダウンクロッキングを行ったＰＰＤＵフレームを示す概念図である。
【図５】図５は、本発明の実施の形態に係るサブ１ＧＨｚ（Ｓ１Ｇ）帯域で１ＭＨｚの周波数帯域幅において使用することができるフレームを示す概念図である。
【図６】図６は、本発明の実施の形態にデータシンボルにＧＩを使用する方法を示す概念図である。
【図７】図７は、本発明の実施の形態にデータシンボルにＧＩを使用する方法を示す概念図である。
【図８】図８は、本発明の実施の形態にＧＩを適用したフレームフォーマットを示す概念図である。
【図９】図９は、本発明の実施の形態にＧＩを適用したフレームフォーマットを示す概念図である。
【図１０】図１０は、本発明の実施の形態にＧＩを適用したフレームフォーマットを示す概念図である。
【図１１】図１１は、本発明の実施の形態に係る周波数帯域幅に応じるパイロット値（ｐｉｌｏｔ  ｖａｌｕｅ）を示した図である。
【図１２】図１２は、本発明の実施の形態に係る周波数帯域に応じるパイロット値を示す図である。
【図１３】図１３は、本発明の実施の形態に係るＯＦＤＭシンボルに応じるパイロットシーケンス（ｐｉｌｏｔ  ｓｅｑｕｅｎｃｅ）を示す概念図である。
【図１４】図１４は、本発明の実施の形態に係るＯＦＤＭシンボルに応じるパイロットシーケンスを示す概念図である。
【図１５】図１５は、本発明の実施の形態に係るＯＦＤＭシンボルに応じるパイロットシーケンスを示す概念図である。
【図１６】図１６は、本発明の実施の形態に係るＯＦＤＭシンボルに応じるパイロットシーケンスを示す概念図である。
【図１７】図１７は、本発明の実施の形態に係るＯＦＤＭシンボルに応じるパイロットシーケンスを示す概念図である。
【図１８】図１８は、本発明の実施の形態が適用されうる無線装置を示すブロック図である。
【発明を実施するための形態】
【００４９】
図１は、ＰＰＤＵフレームフォーマットを示す概念図である。
【００５０】
図１のＰＰＤＵフレームフォーマットは、２０１１年１１月に掲示したＩＥＥＥ  Ｄｒａｆｔ  Ｐ８０２．１１−ＲＥＶｍｂＴＭ／Ｄ１２．Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ（以下、８０２．１１ｎ標準）の１８．３節に開示されたＰＬＣＰフレームフォーマットを示す。ＰＰＤＵフレームフォーマット１００に含まれる各フィールドの具体的な機能と役割は、８０２．１１ｎ標準と同様である。
【００５１】
図１に示すように、ＰＰＤＵフレームフォーマット１００は、ＰＬＣＰプリアンブル１１０、ＰＬＣＰヘッダ１２０、ＰＳＤＵ１３０、テールビット（ｔａｉｌ  ｂｉｔｓ）１４０及びパッドビット（ｐａｄ  ｂｉｔｓ）１５０を備えることができる。ＰＬＣＰヘッダ１２０は、フィールド情報としてレート（ｒａｔｅ）１２０−１、格納（ｒｅｓｅｒｖｅｄ）１２０−２、長さ（ｌｅｎｇｔｈ）１２０−３、パリティー（ｐａｒｉｔｙ）１２０−４、テール（ｔａｉｌ）１２０−５、サービス（ｓｅｒｖｉｃｅ）１２０−６を含むことができる。
【００５２】
ＰＬＣＰプリアンブル１１０は、複数の短いトレーニングシンボル（ｓｈｏｒｔ  ｔｒａｉｎｉｎｇ  ｓｙｍｂｏｌ）と長いトレーニングシンボル（ｌｏｎｇ  ｔｒａｉｎｉｎｇ  ｓｙｍｂｏｌ）を含むことができる。ＰＬＣＰプリアンブル１１０に含まれたＯＦＤＭシンボルは、コーディング及びスクランブリングが行われずに送信されることができる。
【００５３】
ＰＬＣＰヘッダ１２０に含まれたフィールド情報であるレート１２０−１、格納（ｒｅｓｅｒｖｅｄ）１２０−２、長さ１２０−３、パリティー１２０−４、テール１２０−５、サービス１２０−５は、ＢＰＳＫ（ｂｉｎａｒｙ  ｐｈａｓｅ  ｓｈｉｆｔ  ｋｅｙｉｎｇ）と１／２大きさのコーディングレート（ｃｏｄｉｎｇ  ｒａｔｅ）を使用するＭＣＳ（ｍｏｄｕｌａｔｉｏｎ  ｃｏｄｉｎｇ  ｓｃｈｅｍｅ）に基づいて変調（ｍｏｄｕｌａｔｉｏｎ）及びコーディング（ｃｏｄｉｎｇ）を行って、一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル１７０にマッピングされることができる。このうち、サービス１２０−５を除いた残りであるレート１２０−１、格納１２０−２、長さ１２０−３、パリティー１２０−４、テール１２０−５は、一つのＯＦＤＭシンボルであるＳＩＧＮＡＬ１７０にマッピングされることができる。
【００５４】
ＳＩＧＮＡＬ１７０は、受信端でデータ１８０を復号化し復調（ｄｅｍｏｄｕｌａｔｉｏｎ）するにおいて使用されうる様々な情報を含むことができる。例えば、レート１２０−１は、データ１８０のＭＣＳ情報を含むことができ、長さ１２０−３は、送信パケットに含まれたビット数に関する情報を含むことができる。また、パリティー１２０−４は、ＰＬＣＰヘッダ１２０にエラーが発生したかどうかに対する情報を含むことができる。
【００５５】
サービス１２０−６、ＰＳＤＵ１３０、テール１４０、パッドビット１５０は、複数のＯＦＤＭシンボルであるデータ１８０にマッピングされることができる。サービスフィールド（ｓｅｒｖｉｃｅ  ｆｉｅｌｄ）１２０−６に含まれた１６個のビットのうち、第１番目の７個のビットは、送信機において使用されたスクランブリングシーケンスと受信機でのスクランブリングシーケンスとが同様になるのに使用されることができる。残りの９個のビットは、格納されたビット（ｒｅｓｅｒｖｅｄ  ｂｉｔ）であって、０に設定される。
【００５６】
図２は、ＯＦＤＭ変調方法を示す概念図である。
【００５７】
図２では、図１にて前述したサービス１２０−６、ＰＳＤＵ１３０、テール１４０、パッドビット１５０が複数のＯＦＤＭシンボルデータ１８０にマッピングされる方法を示した図である。ＰＰＤＵフレームにおいてサービス１２０−６、ＰＳＤＵ１３０、テール１４０、パッドビット１５０を含んだ部分をＰＬＣＰデータフィールドという用語により定義することができる。
【００５８】
図２に示すように、ＰＬＣＰデータフィールドは、スクランブラー２００と畳み込みエンコーダ（ｃｏｎｖｏｌｕｔｉｏｎ  ｅｎｃｏｄｅｒ）２１０とを通過できる。畳み込みエンコーダ２１０において使用される符号化レート（ｃｏｄｉｎｇ  ｒａｔｅ）は、前述したＰＬＣＰヘッダに含まれたシグナル（ｓｉｇｎａｌ）のレート（ｒａｔｅ）より決定された値であって、例えば、１／２、２／３、３／４のようなレートを有することができる。
【００５９】
スクランブラー２００と畳み込みエンコーダ２１０を介してスクランブリングされ、エンコードされたＰＬＣＰデータフィールドは、インタリーバ（ｉｎｔｅｒｌｅａｖｅｒ）２２０に送信されることができる。インタリーバ２２０は、逆多重化器（ｄｅｍｕｌｔｉｐｌｅｘｅｒ）のような役割を行って、入力されたデータがインタリーバ２２０の出力ポート（ｏｕｔｐｕｔ  ｐｏｒｔｓ）の数のとおりに分散されるようにすることができる。
【００６０】
インタリーバ２２０を使用して後にＩＦＦＴ（ｉｎｖｅｒｓｅ  ｆａｓｔ  ｆｏｕｒｉｅｒ  ｔｒａｎｓｆｏｒｍ）を行うとき、ＰＬＣＰデータフィールドの隣接したビットが隣接したサブキャリア（ｓｕｂｃａｒｒｉｅｒ）にマッピングされないようにすることができる。ＮＣＢＰＳ（ｎｕｍｂｅｒ  ｏｆ  ｃｏｄｅｄ  ｂｉｔｓ  ｐｅｒ  ｓｙｍｂｏｌ）値に基づいて、インタリーバ２２０は、ＮＣＢＰＳに該当するビットを同時に送信でき、変調マッピング部（ｍｏｄｕｌａｔｉｏｎ  ｍａｐｐｉｎｇ  ｕｎｉｔ）２３０−１〜２３０−４８は、送信されたビットをスケーリングされたＩとＱ値に転換できる。
【００６１】
変調マッピング部２３０−１〜２３０−４８を介して変調された４８個の値は、ＩＦＦＴ部２５０を介して６４−ポイント逆ＦＦＴ（６４−ｐｏｉｎｔ  ｉｎｖｅｒｓｅ  ＦＦＴ）を行うことができる。さらにＢＰＳＫを介して変調された４個のパイロットトーン（ｐｉｌｏｔ  ｔｏｎｅ）２６０もＩＦＦＴ部２５０に入力されて、６４−ポイント逆ＦＦＴを行うことができる。パイロットトーン２６０が４個使用される場合、パイロットトーンは、周波数軸上においてサブキャリアインデックス（ｓｕｂｃａｒｒｉｅｒ  ｉｎｄｅｘ）のうち、−２１，−７，７，２１のインデックス位置に含まれることができる。すなわち、５２個の入力値がＩＦＦＴ部２５０に入力され、６４個より５２個を除いた残りの１２個の値は、０に設定されることができる。
【００６２】
ＩＦＦＴ部２５０では、ＩＦＦＴが行われて３．２ｕｓ周期の有効ＯＦＤＭシンボルを生成できる。３．２ｕｓ周期の有効ＯＦＤＭシンボルは、ガードゾーン生成部（ｇｕａｒｄ  ｚｏｎｅ  ｃｏｎｓｔｒｕｃｔｏｒ）２８０を介して生成された０．８ｕｓのＣＰ（ｃｙｃｌｉｃ  ｐｒｅｆｉｘ）をさらに含んで、４ｕｓのシンボルデュレーション（ｓｙｍｂｏｌ  ｄｕｒａｔｉｏｎ）を有するＯＦＤＭシンボルを生成できる。
【００６３】
図３は、ＰＰＤＵフレームを時間軸及び周波数軸にて示した概念図である。
【００６４】
ＰＰＤＵフレームは、前述したようにＰＬＣＰプリアンブル３００、ＰＬＣＰヘッダ３１０、ＰＳＤＵ＋テールビット（ｔａｉｌ  ｂｉｔｓ）＋パッドビット（ｐａｄ  ｂｉｔ）３２０を含むことができる。
【００６５】
周波数軸上にサブキャリアは、−２６〜＋２６に該当するインデックス値にマッピングされることができる。
【００６６】
ＰＬＣＰプリアンブル３００には、１０短いトレーニングシーケンスシンボル（ｓｈｏｒｔ  ｔｒａｉｎｉｎｇ  ｓｅｑｕｅｎｃｅ  ｓｙｍｂｏｌ）３００−１と２長いトレーニングシーケンスシンボル（ｌｏｎｇ  ｔｒａｉｎｉｎｇ  ｓｅｑｕｅｎｃｅ  ｓｙｍｂｏｌ）３００−２とを含むことができる。
【００６７】
１０短いトレーニングシーケンスシンボル３００−１は、周波数軸上において０番サブキャリアを除いて４番目のサブキャリアごとに１０個の短いトレーニングシーケンスシンボルが含まれることができる。１０短いトレーニングシーケンスシンボル３００−１には、ＧＩが使用されないときもある。
【００６８】
２長いトレーニングシーケンスシンボル３００−２は、０番サブキャリアを除いた残りの５２個のサブキャリア上において送信されることができる。２長いトレーニングシーケンスシンボル３００−２は、前端に０．８ｕｓに該当するＧＩの二倍の大きさに該当する１．６ｕｓのＧＩを位置させることができる。
【００６９】
ＰＬＣＰプリアンブル３００が送信された後、次にＰＬＣＰヘッダ３１０のシグナル（ｓｉｇｎａｌ）シンボル３１０−１が送信されることができる。シグナルシンボル３１０−１は、パイロットトーンが送信される４ヶ所のサブキャリアを除いた残りの４８個のサブキャリアから送信されることができる。シグナルシンボル３１０−１は、ＭＣＳ方法でＢＰＳＫと符号化レート（ｃｏｄｉｎｇ  ｒａｔｅ）＝１／２を使用することができる。シグナルシンボル３１０−１の前端には、０．８ｕｓに該当するＧＩが位置できる。
【００７０】
パイロットトーン３５０は、シグナルシンボル３１０−１が送信される時から送信シンボルの最後までサブキャリア上の同じ位置に含まれて送信されることができる。例えば、４個のパイロットトーン３５０は、サブキャリアインデックス上の［−２１，−７，７，２１］の位置から最後の送信シンボルの最後まで送信されることができる。
【００７１】
残りのデータシンボル３２０は、サービスフィールドとデータとが合わせられたシンボル、データシンボル及び最後のデータシンボルを含むことができる。データシンボル３２０に該当するＯＦＤＭシンボルは、シンボルの前端にＧＩを含むことができ、パイロットトーンの含まれたサブキャリア位置を除いた残りの位置に含まれて送信される。
【００７２】
図３では、一つのＯＦＤＭシンボルの周期が４ｕｓに該当する場合について説明した。仮に、ＯＦＤＭシンボルを送信する送信周波数帯域幅が１／１０に減る場合、１／１０ダウンクロッキング（ｄｏｗｎ  ｃｌｏｃｋｉｎｇ）を行ったＰＰＤＵフレームを利用して、１／１０に減った周波数帯域幅を支援できる。
【００７３】
図４は、１／１０ダウン−クロッキングを行ったＰＰＤＵフレームを示す概念図である。
【００７４】
図４を参照すれば、フレームフォーマットは、従来に存在するフレームフォーマットをダウン−クロッキングして使用することができる。前述したように、例えば、Ｓ１Ｇ帯域で使用することができるフレームフォーマットとして、２０１１年１１月に掲示したＩＥＥＥ  Ｄｒａｆｔ  Ｐ８０２．１１−ＲＥＶｍｂＴＭ／Ｄ１２．Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ（以下、８０２．１１ｎ標準）の２０．３節に開示されたＨＴ（ｈｉｇｈ  ｔｈｒｏｕｇｈｐｕｔ）−ｇｒｅｅｎｆｉｅｌｄ  ｆｏｒｍａｔ  ＰＰＤＵを１／１０ダウン−クロッキング（ｄｏｗｎ−ｃｌｏｃｋｉｎｇ）したフレームフォーマットを使用することができる。
【００７５】
図４のように、ＨＴ−ｇｒｅｅｎｆｉｅｌｄ  ｆｏｒｍａｔ  ＰＰＤＵを１／１０ダウンクロッキングしたフレームフォーマット（以下、１／１０ダウンクロッキングされたＳ１Ｇフレームフォーマット（１／１０  ｄｏｗｎ  ｃｌｏｃｋｅｄ  Ｓ１Ｇ  ｆｒａｍｅ  ｆｏｒｍａｔ）という）のＯＦＤＭシンボルの周期は、１／１０ダウンクロッキングを行う前のフレームのＯＦＤＭシンボル周期より１０倍増加できる。例えば、１／１０ダウンクロッキングされたフレームフォーマットにおいて一つのＯＦＤＭシンボルのデュレーションは、従来のＯＦＤＭシンボルデューレーンである４ｕｓより１０倍が大きな周期である４０ｕｓになることができる。また、ガードインターバル（Ｇｕａｒｄ  Ｉｎｔｅｒｖａｌ，ＧＩ）は、０．８ｕｓから８ｕｓに１０倍増加するようになる。
【００７６】
１／１０ダウン−クロッキングされたＳ１ＧフレームフォーマットのＰＬＣＰプリアンブルに含まれるフィールドであるＳＴＦ４００−１は、２ＯＦＤＭシンボルに該当する長さとしてシンボルの長さが８０ｕｓになり、ＬＴＦ１  ４００−２も同様に、２ＯＦＤＭシンボルに該当するので、シンボルの長さは、８０ｕｓとなる。すなわち、１／１０ダウン−クロッキングされたＳ１Ｇフレームフォーマットでは、ＳＩＧ４１０に到達するまで総１６０ｕｓがかかりうる。
【００７７】
図４の１／１０ダウンクロッキングされたＳ１Ｇフレームフォーマットは、従来のＩＥＥＥ  ８０２．１１ａｃで支援する周波数帯域幅より１／１０が小さな周波数帯域幅で使用されるフレームになることができる。すなわち、１／１０ダウンクロッキングされたＳ１Ｇフレームフォーマットは、従来の８０２．１１ａｃ標準で定義された周波数帯域幅である２０／４０／８０／１６０／８０＋８０ＭＨｚの１／１０に該当する周波数帯域幅である２／４／８／１６／８＋８ＭＨｚチャネル帯域幅において使用されるフレームフォーマットになることができる。
【００７８】
下記の表１は、８０２．１１ａｃ  ＰＨＹと１／１０ダウンクロッキングされたＳ１Ｇ  ＰＨＹ（１／１０  ｄｏｗｎ−ｃｌｏｃｋｅｄ  Ｓ１Ｇ  ＰＨＹ）に対する性能比較を示している。
【００７９】
【表１】
0005784240.tif 000016
【００８０】
表１に示すように、１／１０ダウンクロッキングされたＳ１Ｇ  ＰＨＹは、従来に支援した周波数帯域幅より１／１０が小さな周波数帯域幅を支援でき、それにより処理量は、従来の周波数帯域幅における処理量より１／１０小さくなることができる。従来のフレームをダウン−クロッキングする方法を使用して２／４／８／１６／８＋８ＭＨｚチャネル帯域幅に該当する帯域幅を支援できるが、１ＭＨｚに該当する帯域幅の場合、従来のフレーム構造のうち、１０ＭＨｚに該当する周波数帯域幅がないから、従来のフレーム構造で１／１０ダウンクロッキングを行うことができない。
【００８１】
したがって、１ＭＨｚで適用されうるフレーム構造がないので新しいフレーム構造と該当フレームにおいてパイロットトーン（ｐｉｌｏｔ  ｔｏｎｅ）の変調値（ｍｏｄｕｌａｔｉｏｎ  ｖａｌｕｅ）及びパイロットトーン（ｐｉｌｏｔ  ｔｏｎｅ）のマッピング方法を新しく定義しなければならない。また、サブ１ＧＨｚで作動するＭ２Ｍシステムのように単一ユーザ単一ストリーム（ｓｉｎｇｌｅ  ｕｓｅｒ  ｓｉｎｇｌｅ  ｓｔｒｅａｍ）が大多数のストリーム（ｓｔｒｅａｍ）である場合、処理量を高めるためにフレーム構造においてＧＩ（ｇｕａｒｄ  ｉｎｔｅｒｖａｌ）を追加する方法もまた考慮されなければならない。
【００８２】
以下、本発明の実施の形態では、下記のようにサブ１ＧＨｚで使用されることのできるフレームについて開示する。
【００８３】
（１）サブ１ＧＨｚ（Ｓ１Ｇ）帯域で１ＭＨｚの周波数帯域幅において使用することのできるフレームフォーマット
（２）サブ１ＧＨｚ（Ｓ１Ｇ）帯域で使用されるＰＰＤＵフレームフォーマットにおいてＧＩをデータフィールドに含める方法
（３）１ＭＨｚの周波数帯域幅において使用することのできるフレームフォーマットでのパイロットトーンマッピング方法
まず、１ＧＨｚ（Ｓ１Ｇ）帯域で１ＭＨｚの周波数帯域幅に使用することができるフレームフォーマットについて開示する。１ＭＨｚのように２ＭＨｚより小さな周波数帯域幅に使用するためのフレームフォーマットは、１／１０ダウンクロッキングされたＳ１Ｇフレームフォーマットに含まれたフィールドであるＳＴＦ、ＬＴＦ、ＳＩＧ、ＤＡＴＡに対して時間軸に繰り返し（ｒｅｐｅｔｉｔｉｏｎ）を行ったフレームになることができる。
【００８４】
図５は、本発明の実施の形態に係るサブ１ＧＨｚ（Ｓ１Ｇ）帯域で１ＭＨｚの周波数帯域幅において使用することのできるフレームを示す概念図である。
【００８５】
図５に示すように、フレームに含まれた各フィールドに対して繰り返し（ｒｅｐｅｔｉｔｉｏｎ）を行う方法により生成されたフレームを１ＭＨｚの周波数帯域幅において使用することができる。例えば、ＳＴＦ１  ５００、ＬＴＦ１  ５１０及びＳＩＧ５２０に対して繰り返しを行うことができる。各々のフィールドは、前述した図４のフィールドに割り当てられたＯＦＤＭシンボルの個数より２倍多いＯＦＤＭシンボルの個数である４ＯＦＤＭシンボルに割り当てられることができる。データフィールド５５０の場合、選択的に繰り返しを行っても良く、行わなくても良い。このように、ＰＬＣＰプリアンブル及びＰＬＣＰヘッダに対して繰り返しが行われたフレームフォーマットを長い−範囲ＰＬＣＰ（ｌｏｎｇ−ｒａｎｇｅ  ＰＬＣＰ）フォーマットとも呼ぶことができる。
【００８６】
本発明の実施の形態を説明するために、図５にて開示した８０２．１１ａｃ標準に開示されたＨＴ−Ｇｒｅｅｎ  ｆｉｅｌｄフレームフォーマットは、フレームフォーマットに対する一つの例示である。すなわち、ＨＴ−Ｇｒｅｅｎ  ｆｉｅｌｄフレームフォーマットでない他のフレームフォーマットに対してもＰＬＣＰプリアンブル及びＰＬＣＰヘッダに含まれたフィールドを繰り返して１ＭＨｚの周波数帯域幅において使用することができ、このような実施の形態もまた本発明の権利範囲に含まれる。
【００８７】
次に、本発明の実施の形態に係るサブ１ＧＨｚ（Ｓ１Ｇ）帯域で使用されるＰＰＤＵフレームフォーマットにおいてガードインターバル（ＧＩ）をデータフィールドに含める方法について開示する。
【００８８】
ＰＰＤＵフレームフォーマットで短いＧＩ（Ｓｈｏｒｔ  ＧＩ）の使用有無情報を含むＳＩＧをデコードする場合、デコード遅延（ｄｅｃｏｄｉｎｇ  ｄｅｌａｙ）が発生できる。仮に、ＳＩＧでデコード遅延が発生する場合、ＳＩＧの直後につながるデータフィールドの最初シンボルから短いＧＩを適用するならば、データ処理複雑度（ｄａｔａ  ｐｒｏｃｅｓｓｉｎｇ  ｃｏｍｐｌｅｘｉｔｙ）の側面で負担を与えることができる。このような理由で、従来の８０２．１１ｎ標準のＨＴ−ｇｒｅｅｎ  ｆｉｅｌｄプリアンブルでは、ストリームの個数（Ｎｕｍｂｅｒ  ｏｆ  Ｓｔｒｅａｍｓ，Ｎｓｔｓ）が１である単一ストリーム送信の場合、データフィールドに短いＧＩ（Ｓｈｏｒｔ  ＧＩ、ＳＧＩ）を使用することができないようにしている。
【００８９】
しかしながら、８０２．１１ａｈ標準のようなセンサアプリケーション（ｓｅｎｓｏｒ  ａｐｐｌｉｃａｔｉｏｎ）では、大部分のトラフィック（ｔｒａｆｆｉｃ）が単一−ユーザ単一−ストリーム送信（ｓｉｎｇｌｅ−ｕｓｅｒ  ｓｉｎｇｌｅ−ｓｔｒｅａｍ  ｔｒａｎｓｍｉｓｓｉｏｎ）である可能性が極めて高い。したがって、このような環境でデータフレームに短いＧＩ（ｓｈｏｒｔ  ＧＩ）の使用を禁止する場合、処理量の側面で大きな損失をもたらすことができる。特に、フレームフォーマットに対して１０分の１ダウン−クロッキングを適用した場合、短いＧＩの実際時間は、４ｕｓとなる。４ｕｓ長の短いＧＩは、一般的な室内チャネル多重経路遅延（ｔｙｐｉｃａｌ  ｉｎｄｏｏｒ  ｃｈａｎｎｅｌ  ｍｕｌｔｉｐａｔｈ  ｄｅｌａｙ）よりははるかに長く、室外環境に対しても多重経路遅延（ｍｕｌｔｉｐａｔｈ  ｄｅｌａｙ）が極めて大きな環境を除くと、十分なＧＩ時間であるから、Ｎｓｔｓ＝１に対しても短いＧＩを使用することが効果的である。
【００９０】
１／１０ダウンクロッキングされたＳ１ＧフレームフォーマットのＳＩＧフィールドは、ＧＩの使用有無に対する情報を含むことができる。ＧＩを使用する場合、ＳＩＧフィールドの後段に位置した第１番目のデータＯＦＤＭシンボルに対しては、長いＧＩ（Ｌｏｎｇ  ＧＩ、ＬＧＩ）を適用し、第１番目のデータＯＦＤＭシンボル（Ｄａｔａ  ＯＦＤＭ  ｓｙｍｂｏｌ）以後のデータＯＦＤＭシンボルに対しては、短いＧＩが適用されるようにすることができる。
【００９１】
図６は、本発明の実施の形態にデータシンボルにＧＩを使用する方法を示す概念図である。
【００９２】
図６を参照すれば、ＳＩＧ６００は、データフィールドにおいてＳＧＩを使用することを示すことができる。
【００９３】
ＳＩＧ６００以後に送信される第１データシンボル６１０のガードインターバルとしてＬＧＩを使用することができ、第１データシンボル６１０以後の残りのデータシンボル６２０、６３０、６４０に対しては、ガードインターバルとしてＳＧＩを使用することができる。
【００９４】
すなわち、ストリームの個数（Ｎｕｍｂｅｒ  ｏｆ  Ｓｔｒｅａｍｓ，Ｎｓｔｓ）が１である単一ストリーム送信の場合、データシンボルに使用されるガードインターバルとして、ＳＩＧ以後につながる第１番目のデータＯＦＤＭシンボルに対しては常にＬＧＩを適用し、その以後のデータＯＦＤＭシンボルからは、短いＧＩが適用されるようにすることができる。
【００９５】
図７は、本発明の実施の形態に係るデータシンボルにＧＩを使用する方法を示す概念図である。
【００９６】
図７では、１ＭＨｚの周波数帯域幅に使用されうるように、ＳＴＦ７００、ＬＴＦ７１０、ＳＩＧ７２０に対して繰り返しを行うことができる。また、データシンボルに対しても繰り返しが行われることができ、データシンボルには、ＧＩが適用されることができる。
【００９７】
ＳＴＦ７００、ＬＴＦ７１０、ＳＩＧ７２０に対して繰り返しが行われることができる。また、前述したように、フレームが１ＭＨｚの周波数帯域幅にも使用できるようにするために、データシンボルに対して繰り返しを行うことができる。特定のデータシンボルに対して繰り返しが行われたデータシンボルをデータ繰り返しシンボル（ｒｅｐｅｔｉｔｉｏｎ  ｓｙｍｂｏｌ））という用語で定義して使用することができる。
【００９８】
図７でのデータシンボルは、第１データシンボル７５０、第１データシンボル７５０に対した繰り返しである第１データ繰り返しシンボル７５５、第２データシンボル７６０及び第２データフィールド７６０に対した繰り返しである第２データ繰り返しシンボル７６５が含まれることができる。
【００９９】
このような場合、第１データシンボル７５０、第１データ繰り返しシンボル７５５には、それぞれガードインターバルとしてＬＧＩ７５０−１、７５５−１を適用し、残りのデータフィールドである第２データシンボル７６０及び第２データ繰り返しシンボル７６５には、ガードインターバルとしてＳＧＩ７６０−１、７６５−１を適用できる。
【０１００】
すなわち、本発明の実施の形態によれば、１ＭＨｚの帯域幅に適用されるフレームフォーマットにおいてＳＧＩ以後の第１番目のデータシンボルと第１番目のデータシンボルに対する繰り返しに対しては、ＬＧＩ、その以後の残りのデータシンボル及びデータ繰り返しシンボルには、ＳＧＩを適用できる。
【０１０１】
図８は、本発明の実施の形態にＧＩを適用したフレームフォーマットを示す概念図である。
【０１０２】
図８に示すように、前述した図７のように１ＭＨｚの周波数帯域幅に使用されうるように、データシンボルにシンボル繰り返しが行われた場合、データシンボルにＧＩを適用する方法を示す。しかしながら、図７においてとは異なり、データフィールドに対して繰り返しを行う方法を使用するものの、第１データ繰り返しシンボル８１０に対してはＬＧＩを挿入しなく、第１データシンボル８００に挿入されたＬＧＩ８０５を共有する方法を使用することができる。
【０１０３】
第１データ繰り返しシンボル８１０以後のデータフィールドである第２データシンボル８２０と第２データ繰り返しシンボル８２５に対しては、図７と同様にそれぞれのデータシンボルにＳＧＩ８２０−１、８２５−１を挿入できる。
【０１０４】
図８のように、第１データ繰り返しシンボルにガードインターバルを使用しない場合、一つのＬＧＩ８０５を挿入した第１データシンボル８００と第１データ繰り返しシンボル８１０の長さを加算した値とＳＧＩ８２０−１、８２５−１をそれぞれ挿入した第２データフィールド８２０と第２データ繰り返しシンボル８２５の長さを加算した値が互いに同一になりうる。このような場合、データフィールドにおいて二つのシンボルずつ一定の時間区間を有して送信されることができる。また、図８のようなフレームフォーマットを使用する場合、フレーム内でＬＧＩ分だけの時間オーバーヘッド（ｔｉｍｅ  ｏｖｅｒｈｅａｄ）が減少できるという長所がある。
【０１０５】
図９は、本発明の実施の形態にＧＩを適用したフレームフォーマットを示す概念図である。
【０１０６】
図９に示すように、第１データシンボル９００及び第１データ繰り返しシンボル９１０以後にＳＧＩを適用する第２データシンボル９２０、及び第２データ繰り返しシンボル９３０に対しても、一つのＳＧＩを挿入し、これを共有できる。
【０１０７】
図８では、第１データシンボル８００及び第１データ繰り返しシンボル８１０のみ一つのＬＧＩ８０５を共有することを示したが、図９では、さらに第１データシンボル９００及び第１データ繰り返しシンボル９１０が一つのＬＧＩ９００−１を共有し、また、以後の第２データシンボル９２０及び第２データ繰り返しシンボル９３０も一つのＳＧＩ９２０−１を共有できる。
【０１０８】
図１０は、本発明の実施の形態にＧＩを適用したフレームフォーマットを示す概念図である。
【０１０９】
図１０に示すように、ストリームの個数（Ｎｕｍｂｅｒ  ｏｆ  Ｓｔｒｅａｍｓ，Ｎｓｔｓ）が２以上であるマルチストリーム送信（ｍｕｌｔｉ  ｓｔｒｅａｍ  ｔｒａｎｓｍｉｓｓｉｏｎ）である場合、ＧＩを含んだフレームフォーマットを使用することができる。
【０１１０】
マルチストリーム送信を使用する場合、ＳＩＧ１０００の後に存在するＬＴＦ２〜ＬＴＦＮ１０２０には、それぞれのストリームに対するＬＴＦ情報を含むことができる。ＳＩＧ１０００直後にデータシンボルが存在しないので、ＳＩＧ１０００において指示（ｉｎｄｉｃａｔｉｏｎ）したＳＧＩをデータシンボル１０３０、１０４０、１０５０、１０６０に適用できる時間が十分に存在する。したがって、第１データシンボル１０３０及び第１データ繰り返しシンボル１０４０にＳＧＩが適用されることができる。第１データシンボル１０３０及び第１データ繰り返しシンボル１０４０以後に存在する第２データシンボル１０５０及び第２データ繰り返しシンボル１０６０にもＳＧＩを適用できる。
【０１１１】
以下、本発明の実施の形態では、前述した１ＭＨｚの周波数帯域幅において使用することのできるフレームからパイロット送信方法について開示する。
【０１１２】
データシンボルに含まれるパイロットは、位相トラッキング（ｐｈａｓｅ  ｔｒａｃｋｉｎｇ）または残余周波数オフセットエラー（ｒｅｓｉｄｕａｌ  ｆｒｅｑｕｅｎｃｙ  ｏｆｆ  ｓｅｔ  ｅｒｒｏｒ）を補償するために使用することができる。多重クラスター（例えば、１ＭＨｚ＊ｘ）送信及びプレコード（ｐｒｅｃｏｄｉｎｇ）される場合において、ＰＡＰＲ（ｐｅａｋ  ｔｏ  ａｖｅｒａｇｅ  ｐｏｗｅｒ  ｒａｔｉｏ）が最も低いパイロットシーケンスを生成するために、以下のような基準に基づいてパイロットを送信するためのパイロットシーケンスを決定できる。
【０１１３】
（１）位相トラッキングの用途として使用されるパイロットシーケンスの複雑度を最小化するために、ＢＰＳＫ（ｂｉｎａｒｙ  ｐｈａｓｅ  ｓｈｉｆｔ  ｋｅｙｉｎｇ）／ＱＰＳＫ（ｑｕａｄｒａｔｕｒｅ  ｐｈａｓｅ  ｓｈｉｆｔ  ｋｅｙｉｎｇ）を使用。
【０１１４】
（２）多重送信を考慮してＰＡＰＲを最適化する。
【０１１５】
（３）パイロットの値を格納するメモリサイズを最小化する。
上のような条件を満たすｐｉｌｏｔの値は、下記の図１１のようなネスティド（ｎｅｓｔｅｄ）構造として周波数帯域幅に応じて決定されることができる。
【０１１６】
図１１は、本発明の実施の形態に係る周波数帯域幅に応じるパイロット値を示したものである。
【０１１７】
図１１に示すように、１ＭＨｚ、２ＭＨｚ、４ＭＨｚ、８ＭＨｚにおいて使用されるパイロット値がネスティド構造に設定されたことを示す。
【０１１８】
図１１において開示された１ＭＨｚ１１００、２ＭＨｚ１１２０、４ＭＨｚ１１４０、８ＭＨｚ１１８０においてｐｉｌｏｔ  ｖａｌｕｅ
【０１１９】
【化１５】
0005784240.tif 000017
【０１２０】
は、パイロットの値を表すパラーメーターになることができる。図１１では、
【０１２１】
【化１６】
0005784240.tif 000018
【０１２２】
はＢＰＳＫを使用した場合に対する各周波数帯域幅でのパイロット値を表す。パイロットに対する変調方法は、ＢＰＳＫではないＱＰＳＫのような他の変調方法を使用することができる。ＢＰＳＫを変調方法として使用する場合、掛け算（ｍｕｌｔｉｐｌｉｃａｔｉｏｎ）を行わずに符号コンバーター（ｓｉｇｎ  ｃｏｎｖｅｒｔｅｒ）を使用することによって、他の変調方法に比べて演算複雑度を低くすることができる。
【０１２３】
図１１に示すように、各周波数帯域幅に応じてパイロット値として、
１）周波数帯域幅が１ＭＨｚの場合、パイロット値［１，１］
２）周波数帯域幅が２ＭＨｚの場合、パイロット値［１，１，１，−１］
３）周波数帯域幅が４ＭＨｚの場合、パイロット値［１，１，１，−１，−１，１］
４）周波数帯域幅が８ＭＨｚの場合、パイロット値［１，１，１，−１，−１，１，１，１］を使用して、パイロットを周波数軸及び時間軸にマッピングされることができる。
【０１２４】
図１１において開示された周波数帯域別パイロット値は、ネスティド構造に基づいて類推できる。ネスティド構造は、特定の周波数帯域幅のパイロット値が他の周波数帯域幅のパイロット値を含んだ構造のことを意味する。したがって、ネスティド構造に基づいて周波数帯域幅が８ＭＨｚでのパイロット値に対する情報を知っている場合、８ＭＨｚを除いた残りの周波数帯域幅である１ＭＨｚ、２ＭＨｚ、４ＭＨｚでのパイロット値を類推して分かることができるため、周波数帯域別パイロット値を格納するためのメモリサイズを減少させることができる。
【０１２５】
以下、本発明の実施の形態では、パイロット値に基づいて各周波数帯域別にパイロットを送信する方法について開示する。
【０１２６】
周波数軸においてサブキャリアのインデックスを使用してサブキャリアの割り当て（ａｌｌｏｃａｔｉｏｎ）を表現できる。前述した図３のように、ＯＦＤＭシンボルに対して周波数軸上にサブキャリアの割り当てを表すためのインデックス値として−２６〜２６の値が使用されることができ、各サブキャリアは、インデックスにマッピングされることができる。各サブキャリアのうち、中心周波数（ｃｅｎｔｅｒ  ｆｒｅｑｕｅｎｃｙ）に該当する０番サブキャリアは使用されずに、残りのサブキャリアは、パイロットトーンまたはデータシンボル送信に使用されることができる。周波数帯域の大きさに応じてＯＦＤＭシンボルにおいて使用されるパイロットの個数及びパイロットの位置が互いに異なることができる。
【０１２７】
（１）周波数帯域幅が１ＭＨｚの場合、
周波数帯域幅が１ＭＨｚの場合、一つのＯＦＤＭシンボルに対して二つのパイロットがサブキャリアインデックス上｛−７，７｝の位置にマッピングされることができる。下記の式においてパイロットのマッピングを表す
【０１２８】
【化１７】
0005784240.tif 000019
【０１２９】
は、ＯＦＤＭシンボルｎに対してサブキャリアｋの位置にパイロットが存在することを表すパラーメーターである。
【０１３０】
下記の式１は、周波数帯域幅が１ＭＨｚの場合、パイロットシーケンスを表した式である。
【０１３１】
【数１】
0005784240.tif 000020
【０１３２】
式１を参照すれば、サブキャリアのインデックスが−７，７の場合、パイロットがｎ  ＯＦＤＭシンボルから送信されることを表す。
【０１３３】
【化１８】
0005784240.tif 000021
【０１３４】
は、単一のストリーム送信である場合を表したものであって、下記の表１は、ｍに該当するパイロット値を表すパイロットマッピングテーブルである。
【０１３５】
【表２】
0005784240.tif 000022
【０１３６】
すなわち、周波数帯域幅が１ＭＨｚの場合には、パイロットがサブキャリアインデックス位置［−７，７］上において、パイロット値として［１，１］の値を有してマッピングされることができる。
【０１３７】
（２）周波数帯域幅が２ＭＨｚの場合、
周波数帯域幅が２ＭＨｚの場合、パイロットのサブキャリアの位置は、｛−２１，−７，７，２１｝になることができる。下記の式２は、周波数帯域幅が２ＭＨｚの場合、サブキャリア位置に応じるパイロット値を表したものである。
【０１３８】
【数２】
0005784240.tif 000023
【０１３９】
式２の
【０１４０】
【化１９】
0005784240.tif 000024
【０１４１】
は、前述した表１でのパイロット値を有することができる。
【０１４２】
すなわち、周波数帯域幅が２ＭＨｚの場合、パイロットが位置したサブキャリアの位置は｛−２１，−７，７，２１｝であり、ｍｏｄ演算によりＯＦＤＭシンボルｎが増加することによって、パイロット値［１，１，１，−１］がシフトして変わる値を有することができる。例えば、ＯＦＤＭシンボルが０の場合、パイロット値が［１，１，１，−１］の値を有し、ＯＦＤＭシンボルが１の場合、パイロット値が一つずつシフトした［１，１，−１，１］の値を有することができる。
【０１４３】
（３）周波数帯域幅が４ＭＨｚの場合
周波数帯域幅が４ＭＨｚの場合、パイロットが送信されるサブキャリアの位置は、｛−５３，−２５，−１１，１１，２５，５３｝になることができる。下記の式３は、周波数帯域幅が４ＭＨｚの場合、パイロットシーケンスを表した式である。
【０１４４】
【数３】
0005784240.tif 000025
【０１４５】
式３の
【０１４６】
【化２０】
0005784240.tif 000026
【０１４７】
は、前述した表１での値を有することができる。
【０１４８】
周波数帯域幅が４ＭＨｚの場合、パイロットが送信されるサブキャリアの位置は、｛−５３，−２５，−１１，１１，２５，５３｝で、ｍｏｄ演算によりＯＦＤＭシンボルリンｎが増加することによって、［１，１，１，−１，−１，１］がシフトして変わる値を有することができる。例えば、ＯＦＤＭシンボルが０の場合、パイロット値が［１，１，１，−１，−１，１］の値を有し、ＯＦＤＭシンボルが１の場合、パイロット値が一つずつシフトした［１，１，−１，−１，１，１］の値を有することができる。
【０１４９】
（４）周波数帯域幅が８ＭＨｚの場合、
周波数帯域幅が８ＭＨｚの場合、パイロットが送信されるサブキャリアのインデックス位置は、｛−１０３，−７５，−３９，−１１，１１，３８，７５，１０３｝になることができる。下記の式５は、周波数帯域幅が８ＭＨｚの場合、パイロットシーケンスを表した式である。
【０１５０】
【数５】
0005784240.tif 000027
【０１５１】
式５の
【０１５２】
【化２１】
0005784240.tif 000028
【０１５３】
は、前述した表１での値を有することができる。
【０１５４】
すなわち、周波数帯域幅が８ＭＨｚの場合、パイロットが送信されるサブキャリアの位置は、｛−１０３，−７５，−３９，−１１，１１，３８，７５，１０３｝で、パイロット値である［１，１，１，−１，−１，１，１，１］がｍｏｄ演算によってシフトして変わる値を有することができる。式５によってパイロット値は、ＯＦＤＭシンボルであるｎが一つずつ増加することによってシフトして変わることができる。例えば、ＯＦＤＭシンボルが０の場合、パイロット値は、［１，１，１，−１，−１，１，１，１］の値を有し、ＯＦＤＭシンボルが１の場合、パイロット値は、一つずつシフトした値である［１，１，−１，−１，１，１，１，１］の値を有することができる。
【０１５５】
本発明の実施の形態によれば、各周波数帯域幅に応じるパイロット信号（ｐｉｌｏｔ  ｓｉｇｎａｌ）を送信するために、１）パイロット信号を送信するためにいかなる送信帯域幅を使用するかどうかを決定し、２）送信帯域幅に応じて前述した表１のようなパイロットマッピングテーブルに基づいて、パイロット値を決定できる。３）決定されたパイロット値とパイロット信号が送信されるサブキャリアインデックスに基づいて、Ｎ個のＯＦＤＭシンボルを介してパイロット信号を送信できる。
【０１５６】
以上のようなパイロット信号は、複数の空間的ストリーム（ｓｐａｔｉａｌ  ｓｔｒｅａｍ）に送信されることができ、複数の空間的ストリームのうち、各々の空間的ストリームから送信されるパイロット値は、同じ値を有することができる。例えば、第１空間的ストリームから送信されるパイロット値が決定されると、その値が第２空間的ストリームのパイロット値に複写されて使用されることができる。このような方法により第１空間的ストリームと第２空間的ストリームでは、同じパイロット値を送信できる。
【０１５７】
本発明のさらに他の実施の形態によれば、１ＭＨｚの周波数帯域幅に適用されるパイロット値が時変（ｔｉｍｅ  ｖａｒｙｉｎｇ）特性を有するためには、１ＭＨｚの周波数帯域幅に適用されるパイロット値が互いに異なる値を有するようにすることができる。
【０１５８】
図１２は、本発明の実施の形態に係る周波数帯域に応じるパイロット値を示したものである。
【０１５９】
図１２に示すように、１ＭＨｚ帯域幅１２００に適用されるパイロット値として［１，−１］に該当する値を使用することができる。
【０１６０】
下記の式６は、１ＭＨｚ帯域幅に適用されるパイロット値として互いに異なる符号の値を使用するパイロットシーケンスを表した式である。
【０１６１】
【数６】
0005784240.tif 000029
【０１６２】
式６を参照すれば、ｍｏｄ演算を行った後、２を追加的に加算することによって、ｎ＝０の場合、１ＭＨｚの周波数帯域幅において
【０１６３】
【化２２】
0005784240.tif 000030
【０１６４】
に該当するパイロット値を使用して、パイロット値が互いに異なる値を有することができるようにすることができる。
【０１６５】
また、１ＭＨｚで使用されるパイロット値が２ＭＨｚで使用されるパイロット値に含まれることによって、パイロット値を算出するテーブルは、ネスティド構造を維持できる。
【０１６６】
式６を参照すれば、ＯＦＤＭシンボルのインデックスであるｎ値が増減するに従って、パイロット値の符号が持続的に変わることができる。例えば、ＯＦＤＭシンボルのインデックスが０の場合、パイロット値が＋１，−１の値を有し、ＯＦＤＭシンボルのインデックスが１の場合、パイロット値が−１、＋１の値を有することができる。
【０１６７】
パイロット信号がサブキャリアのインデックス位置上に−７と＋７の位置にマッピングされると仮定したが、パイロットがサブキャリアのインデックス位置上に−７と＋７でない他の位置にマッピングされることもできる。例えば、パイロット信号は、サブキャリアのインデックス位置上０を除いた−２８〜＋２８の範囲にマッピングされることができる。以下、本発明の実施の形態では、説明の便宜上パイロットがサブキャリアのインデックス位置上に−７と＋７の位置で送信されると仮定して説明する。
【０１６８】
図１３は、本発明の実施の形態に係るＯＦＤＭシンボルに応じるパイロットシーケンスを示す概念図である。
【０１６９】
図１３に示すように、前述したようにサブキャリアインデックス上７（１３００），−７（１３１０）の位置にパイロットが送信されることができる。パイロット値は、ＯＦＤＭシンボルのインデックスが増加するに従って変わることができるが、例えば、ＯＦＤＭシンボルのインデックスであるｎが０の場合に、サブキャリアインデックス−７に位置したパイロット１３１０は、＋１の値を有することができ、サブキャリアインデックス７に位置したパイロット１３００は、−１の値を有することができる。ＯＦＤＭシンボルのインデックスであるｎが１に増加した場合、サブキャリアインデックス−７に位置したパイロット１３００は、−１の値を有することができ、サブキャリアインデックス７に位置したパイロット１３１０は、＋１の値を有することができる。
【０１７０】
さらに他の１ＭＨｚ周波数帯域でパイロット値設定方法によりオフセット値と適用長（ウィンドウ（ｗｉｎｄｏｗ））値を変化させて、ＯＦＤＭシンボルごとにパイロットシーケンスを異なるように設定できる。
【０１７１】
パイロット値設定オフセット値
【０１７２】
【化２３】
0005784240.tif 000031
【０１７３】
は、シュードランダムシーケンス（ｐｓｅｕｄｏ  ｒａｎｄｏｍ  ｓｅｑｕｅｎｃｅ）周期を
【０１７４】
【化２４】
0005784240.tif 000032
【０１７５】
とすると、下記の式７を介してＯＦＤＭシンボルに応じるパイロットシーケンスが決定されることができる。
【０１７６】
【数７】
0005784240.tif 000033
【０１７７】
式７の他の表現として、下記の式８のようなパイロットシーケンス表現も使用できる。式８は、パイロット値をテーブルにおいて逆順に適用して生成されたパイロットシーケンスを表したものであって、ｎ＋１をｎ−１に切り替えて表現したものである。
【０１７８】
【数８】
0005784240.tif 000034
【０１７９】
前述した式６は、ｍｏｄ２演算を使用して２ＯＦＤＭデータシンボル単位でパイロット値が変わる方式を示す。本発明の実施の形態によれば、モジュラー（ｍｏｄｕｌａｒ）演算を行うとき、ｍｏｄ２で使用した２の代わりに異なるＮ値（ここで、Ｎは、２より大きな自然数）であるｍｏｄＮを適用して、ｒａｎｄｏｍｉｚａｔｉｏｎ周期を異なるように設定できる。
【０１８０】
例えば、オフセット値であるｎ＿ｓｔａｒｔを０、パイロット値の周期値であるＮ＿ｗｉｎｄｏｗを４に設定できる。このような場合、ＯＦＤＭシンボル４個に該当する周期ごとにパイロット値が変わることができる。下記の式９は、オフセット値であるｎ＿ｓｔａｒｔを０、パイロット値の周期値であるＮ＿ｗｉｎｄｏｗを４に設定した場合におけるパイロットシーケンスを表す。
【０１８１】
【数９】
0005784240.tif 000035
【０１８２】
式９のようなパイロットシーケンスは、ＯＦＤＭシンボル上において図１３のようになされることができる。
【０１８３】
図１４は、本発明の実施の形態に係るＯＦＤＭシンボルに応じるパイロットシーケンスを示す概念図である。
【０１８４】
図１４に示すように、サブキャリアインデックス上７（１４００），−７（１４１０）の位置からパイロットが送信されることができる。パイロット値は、ＯＦＤＭシンボルのインデックスが増加するに従って変わることができるが、図１２においてとは異なり、４個のＯＦＤＭシンボルの周期として互いに異なる値を有することができる。例えば、パイロット値としてＯＦＤＭシンボルのインデックスが０（１４２０）である場合に、［１，１］、ＯＦＤＭシンボルのインデックスが１（１４３０）である場合に［１，１］、ＯＦＤＭシンボルのインデックスが２（１４４０）である場合に［１，−１］、ＯＦＤＭシンボルのインデックスが３（１４５０）である場合に［−１，１］の値を有することができる。
【０１８５】
本発明の実施の形態に係るさらに他のパイロットシーケンスとして、式１０のようなパイロットシーケンスを使用することができる。下記の式１０は、オフセット値であるｎ＿ｓｔａｒｔを０、パイロット値の周期値であるＮ＿ｗｉｎｄｏｗを６に設定した場合におけるパイロットシーケンスを表す。
【０１８６】
【数１０】
0005784240.tif 000036
【０１８７】
式１０のようなパイロットトーンシーケンスは、ＯＦＤＭシンボル上において図１４のようになされることができる。
【０１８８】
図１５は、本発明の実施の形態に係るＯＦＤＭシンボルに応じるパイロットシーケンスを示す概念図である。
【０１８９】
図１５を参照すれば、サブキャリアインデックス上７（１５００），−７（１５１０）の位置からパイロットが送信されることができる。パイロット値は、ＯＦＤＭシンボルのインデックスが増加するに従って変わることができるが、図１４においてとは異なり、６個のＯＦＤＭシンボルの周期で互いに異なる値を有することができる。例えば、パイロット値としてＯＦＤＭシンボルのインデックスが０（１５２０）である場合に［１，１］、ＯＦＤＭシンボルのインデックスが１（１５３０）である場合に［１，１］、ＯＦＤＭシンボルのインデックスが２（１５４０）である場合に［１，−１］、ＯＦＤＭシンボルのインデックスが３（１５５０）である場合に［−１，−１］、ＯＦＤＭシンボルのインデックスが４（１５６０）である場合に［−１，１］、ＯＦＤＭシンボルのインデックスが５（１５７０）である場合に［１，１］の値を有することができる。
【０１９０】
本発明の実施の形態に係るさらに他のパイロットシーケンスとして、式１１のようなパイロットシーケンスを使用することができる。下記の式１１は、オフセット値であるｎ＿ｓｔａｒｔを０、パイロット値の周期値であるＮ＿ｗｉｎｄｏｗを８に設定した場合におけるパイロットシーケンスを表す。
【０１９１】
【数１１】
0005784240.tif 000037
【０１９２】
式１１のようなパイロットトーンシーケンスは、ＯＦＤＭシンボル上において図１６のようになされることができる。
【０１９３】
図１６は、本発明の実施の形態に係るＯＦＤＭシンボルに応じるパイロットシーケンスを示す概念図である。
【０１９４】
図１６を参照すれば、サブキャリアインデックス上−７（１６００）、７（１６１０）の位置からパイロットが送信されることができる。パイロット値は、ＯＦＤＭシンボルのインデックスが増加するに従って変わることができるが、図１２においてとは異なり、８個のＯＦＤＭシンボルの周期で互いに異なる値を有することができる。例えば、パイロット値としてＯＦＤＭシンボルのインデックスが０（１６２０）である場合に［１，１］、ＯＦＤＭシンボルのインデックスが１（１６２５）である場合に［１，１］、ＯＦＤＭシンボルのインデックスが２（１６３０）である場合に［１，−１］、ＯＦＤＭシンボルのインデックスが３（１６３５）である場合に［−１，−１］、ＯＦＤＭシンボルのインデックスが４（１６４０）である場合に［−１，１］、ＯＦＤＭシンボルのインデックスが５（１６４５）である場合に［１，１］、ＯＦＤＭシンボルのインデックスが６（１６５０）である場合に［１，１］、ＯＦＤＭシンボルのインデックスが７（１６５５）である場合に［１，１］の値を有することができる。
【０１９５】
本発明の実施の形態に係るさらに他のパイロットシーケンスでは、パイロットトーンに該当する値として、パイロット値に一定の変数を掛け算した値を使用することができる。下記の式１２は、オフセット値であるｎ＿ｓｔａｒｔを０、パイロット値の周期値であるＮ＿ｗｉｎｄｏｗを２に設定し、パイロット値に［１，−ｊ］を適用した値をパイロット値として使用することができる。
【０１９６】
【数１２】
0005784240.tif 000038
【０１９７】
式１２のようなパイロットトーンシーケンスは、ＯＦＤＭシンボル上において図１５のようになされることができる。
【０１９８】
図１７は、本発明の実施の形態に係るＯＦＤＭシンボルに応じるパイロットシーケンスを示す概念図である。
【０１９９】
図１７を参照すれば、サブキャリアインデックス上−７（１７００）、７（１７１０）からパイロットが送信されることができる。パイロットの値は、ＯＦＤＭシンボルのインデックスが増加するに従って、２ＯＦＤＭシンボル周期に基づいて変わることができる。図１４においてとは異なり、パイロットの値がＯＦＤＭシンボルのインデックスが０（１７２０）である場合に［１、ｊ］、ＯＦＤＭシンボルのインデックスが１（１７４０）である場合に［ｊ、１］の値を有することができる。
【０２００】
前述した式７の場合も、パイロット値に一定の変数を掛けた式として表現されることができる。下記の式１３は、パイロット値に一定の変数を掛けた式を表したものである。
【０２０１】
【数１３】
0005784240.tif 000039
【０２０２】
式１３は、式７と表現方法のみが異なり、同じパイロットシーケンスを表す式である。
【０２０３】
本発明の実施の形態によれば、パイロットシーケンスは、下記の式１４または式１５のように、１ＭＨｚの周波数帯域幅において使用されるパイロット値がネスティド構造を維持しながら一定の変数を掛け算した値が表現されることができる。
【０２０４】
【数１４】
0005784240.tif 000040
【０２０５】
【数１５】
0005784240.tif 000041
【０２０６】
図１８は、本発明の実施の形態が適用されうる無線装置を示すブロック図である。
【０２０７】
無線装置７０は、上述した実施の形態を具現できる端末であって、ＡＰまたは非ＡＰ  ＳＴＡ（ｎｏｎ−ＡＰ  ｓｔａｔｉｏｎ）でありうる。
【０２０８】
無線装置７０は、プロセッサ７２、メモリ７４及びトランシーバー（ｔｒａｎｓｃｅｉｖｅｒ）７６を備える。トランシーバー７６は、無線信号を送／受信するものの、ＩＥＥＥ  ８０２．１１の物理階層が具現化される。また、トランシーバー７６は、本発明の実施の形態によって１ＭＨｚの周波数帯域幅を利用して、前記パイロットトーンを含んだ前記複数のサブキャリアを送信できる。
【０２０９】
プロセッサ７２は、トランシーバー７６と機能的に接続されて、ＩＥＥＥ  ８０２．１１のＭＡＣ階層及び物理階層を具現する。プロセッサ７２は、本発明の実施の形態によってサブ１ＧＨｚ（Ｓ１Ｇ）帯域で１ＭＨｚの周波数帯域幅において使用することができるフレームフォーマットを生成し、サブ１ＧＨｚ（Ｓ１Ｇ）帯域で使用されるＰＰＤＵフレームフォーマットにおいてＧＩをデータフィールドに含め、１ＭＨｚの周波数帯域幅において使用することができるフレームフォーマットでのパイロットをマッピングできる。すなわち、プロセッサ７２は、上述した本発明の実施の形態を具現するように設定されることができる。
【０２１０】
プロセッサ７２及び／またはトランシーバー７６は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリ７４は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、貯蔵媒体及び／または他の格納装置を備えることができる。実施の形態がソフトウェアにより具現化されるとき、上述した技法は、上述した機能を行うモジュール（過程、機能など）により具現化されることができる。モジュールは、メモリ７４に格納され、プロセッサ７２により実行されることができる。メモリ７４は、プロセッサ７２の内部または外部にあることができ、よく知られた多様な手段によりプロセッサ７２と接続されることができる。
本明細書は、例えば、以下の項目も提供する。
（項目１）
複数のパイロットを送信する方法であって、
Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するステップを含むものの、
ＯＦＤＭシンボルｎ上のサブキャリアｋにおいてパイロット
【化２５】
0005784240.tif 000042
は、下記のように決定され、
【化２６】
0005784240.tif 000043
ＯＦＤＭシンボルインデックスｎは、０，…，Ｎ−１であり、パイロット値
【化２７】
0005784240.tif 000044
方法。
（項目２）
前記送信される複数のパイロットの帯域幅は、１ＭＨｚであることを特徴とする項目１に記載の方法。
（項目３）
前記ｋは、
【化２８】
0005784240.tif 000045
の範囲の一つの整数で、前記Ｋは、
【化２９】
0005784240.tif 000046
の範囲の一つの整数であることを特徴とする項目１に記載の方法。
（項目４）
送信帯域幅を選択するステップと、
前記送信帯域幅の範囲に応じてパイロット値マッピングテーブル内の事前に定義された複数のパイロット値を決定するステップと、
前記事前に定義された複数のパイロット値をＮ  ＯＦＤＭシンボルに挿入するステップとをさらに含むものの、
前記送信帯域幅の前記範囲が１ＭＨｚの場合、前記パイロット値マッピングテーブルにおいて前記事前に定義された複数のパイロット値は
【化３０】
0005784240.tif 000047
であり、
前記パイロット値マッピングテーブルは、下記のとおりであることを特徴とする項目１に記載の方法。
【化３１】
0005784240.tif 000048
（項目５）
前記複数のパイロットは、シュード二進シーケンス（ｐｓｅｕｄｏ−ｂｉｎａｒｙ  ｓｅｑｕｅｎｃｅ）によりＢＰＳＫ（ｂｉｎａｒｙ  ｐｈａｓｅ  ｓｈｉｆｔ  ｋｅｙｉｎｇ）変調されることを特徴とする項目１に記載の方法。
（項目６）
前記Ｎ個のＯＦＤＭシンボル上に前記複数のパイロットを送信するステップは、
第１空間ストリームに対して第１複数のパイロットを送信するステップと、
前記第１複数のパイロットのマッピングを第２空間ストリームの第２複数のパイロットのマッピングに複写するステップと、
前記第２空間ストリームの前記第２複数のパイロットを送信するステップとを含むことを特徴とする項目１に記載の方法。
（項目７）
無線通信システムにおいて制御信号を送信するように具現された無線端末は、
Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するように具現されたプロセッサを含むものの、
ＯＦＤＭシンボルｎ上のサブキャリアｋにおいてパイロット
【化３２】
0005784240.tif 000049
は、下記のとおりに決定され、
【化３３】
0005784240.tif 000050
ＯＦＤＭシンボルインデックスｎは、０，…，Ｎ−１で、パイロット値
【化３４】
0005784240.tif 000051
無線装置。
（項目８）
前記送信される複数のパイロットの帯域幅は、１ＭＨｚであることを特徴とする項目７に記載の無線装置。
（項目９）
前記ｋは、
【化３５】
0005784240.tif 000052
の範囲の一つの整数で、前記Ｋは、
【化３６】
0005784240.tif 000053
の範囲の一つの整数であることを特徴とする項目７に記載の無線装置。
（項目１０）
前記プロセッサは、前記Ｎ個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上に前記複数のパイロットを送信するために、送信帯域幅を選択し、前記送信帯域幅の範囲に応じてパイロット値マッピングテーブル内の事前に定義された複数のパイロット値を決定し、前記事前に定義された複数のパイロット値を前記Ｎ個のＯＦＤＭシンボルに挿入するように具現されるものの、
前記送信帯域幅の前記範囲が１ＭＨｚの場合、前記パイロット値マッピングテーブルにおいて前記事前に定義された複数のパイロット値は、
【化３７】
0005784240.tif 000054
であり、
前記パイロット値マッピングテーブルは、下記のとおりであることを特徴とする項目７に記載の無線装置。
【化３８】
0005784240.tif 000055
（項目１１）
前記複数のパイロットは、シュード二進シーケンスによりＢＰＳＫ変調されることを特徴とする項目７に記載の無線装置。
（項目１２）
前記プロセッサは、前記Ｎ個のＯＦＤＭシンボル上に前記複数のパイロットを送信するために、第１空間ストリームに対して第１複数のパイロットを送信し、前記第１複数のパイロットのマッピングを第２空間ストリームの第２複数のパイロットのマッピングに複写し、前記第２空間ストリームの前記第２複数のパイロットを送信するように具現されることを特徴とする項目７に記載の無線装置。
【図１１】
0005784240.tif 000070
【図１】
0005784240.tif 000071
【図２】
0005784240.tif 000072
【図３】
0005784240.tif 000073
【図４】
0005784240.tif 000074
【図５】
0005784240.tif 000075
【図６】
0005784240.tif 000076
【図７】
0005784240.tif 000077
【図８】
0005784240.tif 000078
【図９】
0005784240.tif 000079
【図１０】
0005784240.tif 000080
【図１２】
0005784240.tif 000081
【図１３】
0005784240.tif 000082
【図１４】
0005784240.tif 000083
【図１５】
0005784240.tif 000084
【図１６】
0005784240.tif 000085
【図１７】
0005784240.tif 000086
【図１８】
0005784240.tif 000087